(57)【特許請求の範囲】
【請求項１】
フライパン本体と、このフライパン本体内に着脱自在に設けられフライパン本体内を仕切って区画する仕切り部材とから成るフライパンにおいて、前記仕切り部材は、熱伝導性の良い金属製とし、この仕切り部材に、前記フライパン本体の周壁部に着脱自在に取付可能且つこの周壁部に沿ってスライド移動可能な取付部を設けて、この取付部を周壁部に取付けることで仕切り部材がフライパン本体内を区画するように構成すると共に、この取付部を周壁部に沿ってスライド移動することで仕切り部材によるフライパン本体内の区画範囲を変更し得るように構成し、この取付部に、この取付部を前記周壁部に移動不能状態に係止する係止解除可能な係止手段を設け、前記仕切り部材に、前記フライパン本体の周壁部の上縁に上方から被嵌取付可能且つこの上縁に沿ってスライド移動可能な係止溝を有する前記取付部を設け、前記係止手段は、前記取付部に締付ネジを設け、この締付ネジを締付けることで取付部を前記フライパン本体の周壁部に移動不能状態に係止し、この締付ネジを緩めることで取付部の係止状態を係止解除する構成としたことを特徴とするフライパン。
【請求項２】
前記仕切り部材の一側端部に前記取付部を設け、この仕切り部材の他側端部に、前記取付部若しくは前記周壁部の内面に沿設させる沿設部を設け、この取付部若しくは沿設部を熱伝導性の良い金属製としたことを特徴とする請求項１記載のフライパン。
【発明の詳細な説明】
【技術分野】
【０００１】
本発明は、調理範囲を仕切って区画できるフライパンに関するものである。
【背景技術】
【０００２】
従来から、登録実用新案第３０９６１９９号（特許文献１）のように、調理範囲を区画する仕切り壁が着脱自在に設けられたフライパン（玉子焼き器）が実施されている。
【０００３】
また、この特許文献１は、仕切り壁を固定するための固定部が周壁内面に複数設けられ、この複数の固定部を選択して仕切り壁を固定することによって調理範囲（区画）を変更できるように構成されている。
【先行技術文献】
【特許文献】
【０００４】
【特許文献１】登録実用新案第３０９６１９９号公報
【発明の概要】
【発明が解決しようとする課題】
【０００５】
上記特許文献１は、食材の量などに応じて調理範囲を変更できるために実用的であるが、仕切り壁を固定する固定部の位置が決まっている上にわずか数箇所（図面は三箇所）にしかないために、段階的で大雑把な区画変更しかできなかった。
【０００６】
本発明は、上記特許文献１のような調理範囲を区画変更できるフライパンの改良に係るもので、特許文献１より細かな調理区画範囲の変更が可能であると共に、耐久性の高い仕切り部材が加熱調理機能をも有する実用性に優れたフライパンを提供するものである。
【課題を解決するための手段】
【０００７】
添付図面を参照して本発明の要旨を説明する。
【０００８】
フライパン本体１と、このフライパン本体１内に着脱自在に設けられフライパン本体１内を仕切って区画する仕切り部材４とから成るフライパンにおいて、前記仕切り部材４は、熱伝導性の良い金属製とし、この仕切り部材４に、前記フライパン本体１の周壁部２に着脱自在に取付可能且つこの周壁部２に沿ってスライド移動可能な取付部５を設けて、この取付部５を周壁部２に取付けることで仕切り部材４がフライパン本体１内を区画するように構成すると共に、この取付部５を周壁部２に沿ってスライド移動することで仕切り部材４によるフライパン本体１内の区画範囲を変更し得るように構成し、この取付部５に、この取付部５を前記周壁部２に移動不能状態に係止する係止解除可能な係止手段７を設け、前記仕切り部材４に、前記フライパン本体１の周壁部２の上縁３に上方から被嵌取付可能且つこの上縁３に沿ってスライド移動可能な係止溝６を有する前記取付部５を設け、前記係止手段７は、前記取付部５に締付ネジ８を設け、この締付ネジ８を締付けることで取付部５を前記フライパン本体１の周壁部２に移動不能状態に係止し、この締付ネジ８を緩めることで取付部５の係止状態を係止解除する構成としたことを特徴とするフライパンに係るものである。
【０００９】
また、前記仕切り部材４の一側端部に前記取付部５を設け、この仕切り部材４の他側端部に、前記取付部５若しくは前記周壁部２の内面に沿設させる沿設部９を設け、この取付部５若しくは沿設部９を熱伝導性の良い金属製としたことを特徴とする請求項１記載のフライパンに係るものである。
【発明の効果】
【００１０】
本発明は上述のように構成したから、取付部を周壁部に沿ってスライド移動するか又は取付部を周壁部から着脱して取付位置を移動することによりフライパン本体内の区画範囲を無段階調節変更できると共に、係止手段により取付部を周壁部に移動不能状態に係止して決定した調理区画範囲を確固に保持でき、従って段階的で大雑把な区画範囲変更しかできない上記特許文献１に比して区画範囲の調節変更幅が広いために、様々な調理用途や食材量に的確に対応でき、しかも本発明は、仕切り部材を熱伝導性の良い金属製としたので、フライパン本体内の調理区画内で食材を加熱調理する際に、仕切り部材を介しても食材が加熱調理されると共に、金属製の仕切り部材は耐熱性・耐久性に優れるなど、極めて実用性に優れた商品価値の高いフライパンとなる。
【００１１】
また、本発明においては、フライパン本体の周壁部の上縁に上方から被嵌するだけの簡易操作で取付けできると共に、この上縁に沿ってスムーズにスライド移動する取付部を簡易構成により容易に設計実現可能となる一層実用性に優れた構成のフライパンとなる。
【００１２】
また、本発明においては、締付ネジの簡単な締緩操作によって、フライパン本体の周壁部に対する仕切り部材の移動不能状態と移動可能状態とを容易に切替えできる一層操作性・実用性に優れたフライパンとなる。
【００１３】
また、請求項２記載の発明においては、フライパン本体に対して安定的に取付けできると共に、周壁部に沿ってスムーズにスライド移動できて区画変更を容易に行うことができる仕切り部材を簡易に設計実現可能となり、しかも、取付部若しくは沿設部を熱伝導性の良い金属製としたので、この金属製の取付部若しくは沿設部を介しても食材が加熱調理されると共に、金属製の取付部若しくは沿設部は耐熱性・耐久性に優れるなど、一層実用性に優れた構成のフライパンとなる。
【図面の簡単な説明】
【００１４】
【図１】本実施例を示す斜視図である。
【図２】本実施例を示す仕切り部材を分離した状態の斜視図である。
【図３】本実施例を示す側断面図である。
【発明を実施するための形態】
【００１５】
好適と考える本発明の実施形態を、図面に基づいて本発明の作用を示して簡単に説明する。
【００１６】
フライパン本体１の周壁部２に仕切り部材４の取付部５を取付けると、フライパン本体１内の調理範囲を仕切り部材４で区画できる。
【００１７】
また、周壁部２に取付けた取付部５を、周壁部２に沿ってスライド移動させると、仕切り部材４によるフライパン本体１内の区画範囲を任意に変更可能である。
【００１８】
即ち、取付部５を周壁部２に沿ってスライド移動することによるフライパン本体１内の区画範囲の無段階調節変更が可能であり、仕切り壁を固定する固定部が所定の数箇所にしかなく段階的且つ大雑把な区画範囲変更しかできない上記特許文献１に比して、区画範囲の調節変更幅が広く、これにより様々な調理用途や食材使用量などに的確に対応した区画範囲設定が可能となるので、非常に実用的である。
【００１９】
尚、取付部５を周壁部２に対して着脱操作することによってフライパン本体１内の区画範囲を変更することもできる。
【００２０】
調理食材の量などに応じてフライパン本体１内の調理区画範囲を決めたら、係止手段７により取付部５を前記周壁部２に移動不能状態に係止して、この調理区画範囲を確固に維持することができる。
【００２１】
このようにして決定したフライパン本体１内の調理区画範囲で食材を加熱調理するが、この際、熱伝導性の良い金属製とした仕切り部材４にも熱源からの熱が良好に伝熱するので、この仕切り部材４を介しても食材が加熱調理されると共に、金属製の仕切り部材４は耐熱性・耐久性に優れるので実用的である。
【００２２】
また、本発明は、前記仕切り部材４に、前記フライパン本体１の周壁部２の上縁３に上方から被嵌取付可能且つこの上縁３に沿ってスライド移動可能な係止溝６を有する前記取付部５を設けている。そのため、フライパン本体１の周壁部２の上縁３に、取付部５の係止溝６を上方から被嵌するだけの簡易操作で仕切り部材４をフライパン本体１に取付けでき、この上縁３に取付けした係止溝６が、上縁３に沿ってスムーズにスライド移動することになる。
【００２３】
また、本発明は、前記係止手段７は、前記取付部５に締付ネジ８を設け、この締付ネジ８を締付けることで取付部５を前記フライパン本体１の周壁部２に移動不能状態に係止し、この締付ネジ８を緩めることで取付部５の係止状態を係止解除する構成としている。そのため、締付ネジ８を締緩操作するだけで、仕切り部材４を移動不能状態と移動可能状態とに切替えできる。
【００２４】
また、例えば、前記仕切り部材４の一側端部に前記取付部５を設け、この仕切り部材４の他側端部に、前記取付部５若しくは前記周壁部２の内面に沿設させる沿設部９を設け、この取付部５若しくは沿設部９を熱伝導性の良い金属製とすれば、フライパン本体１の周壁部２の対向位置に、仕切り部材４の両側端部に設けた取付部５を取付けるか、若しくは周壁部２の対向位置の一方に仕切り部材４の一側端部に設けた取付部５を取付けると共に、周壁部２の対向位置の他方の内面に仕切り部材４の他側端部に設けた沿設部９を沿設すると、フライパン本体１内の調理範囲を仕切り部材４で区画できる。
【００２５】
即ち、両側端部の取付部５が周壁部２に取付けられることによって、若しくは一側端部の取付部５が周壁部２に取付けられ他側端部の沿設部９が対向側の周壁部２内面に沿設することによって、仕切り部材４がフライパン本体１に対して安定的に取付けられる。また、仕切り部材４の区画範囲を変更する際、両側端部の取付部５が対向する周壁部２に沿ってスライド移動することになるか、若しくは一側端部の取付部５が周壁部２に沿ってスライド移動すると共に、他側端部の沿設部９が対向側の周壁部２の内面に沿ってスライド移動することになる。
【００２６】
また、熱伝導性の良い金属製とした取付部５若しくは沿設部９は、熱源からの熱が良好に伝熱するので、この取付部５若しくは沿設部９を介しても食材が加熱調理されることになると共に、耐熱性・耐久性に優れる。
【実施例】
【００２７】
本発明の具体的な実施例について図面に基づいて説明する。
【００２８】
本実施例は、平面視長方形状のフライパン本体１を具備するフライパン（玉子焼き器）に適用した場合である。
【００２９】
具体的には、本実施例のフライパン本体１は、鉄，銅，アルミ，ステンレス等の金属製であって、図１，図２に示すように、長方形状の底板部11と、この底板部11の周囲四辺を取り囲むようにして立ち上がり形成される周壁部２とから成る浅底鍋型に形成し、このフライパン本体１の長手方向が使用者から見て前後方向となるように、短手方向の周壁部２のうちの一方（図１，図２において手前側（後側）の周壁部２）の外側面に棒状の握柄10をリベット12止めにより付設した構成としている。
【００３０】
また、図面のフライパン本体１は、周壁部２の前側が前傾斜し、後側が後傾斜する形状に形成している。
【００３１】
本実施例は、このフライパン本体１内に着脱自在に設けられフライパン本体１内を仕切って区画する仕切り部材４を備えた構成としている。
【００３２】
仕切り部材４は、鉄，銅，アルミ，ステンレス等の熱伝導性の良い金属製であって、図２，図３に示すような横長形状の板状体で構成している。
【００３３】
また、この仕切り部材４は、フライパン本体１内に縦板状に設置するもので、フライパン本体１の前側に存する周壁部２と後側に存する周壁部２の対向内面間の前後幅寸法に略合致する長さと、前記底板部11から周壁部２の上縁３までの高さ幅に略合致する高さを有する形状に形成すると共に、両端部を前側の周壁部２と後側の周壁部２の内面形状に略合致する傾斜縁に形成している。
【００３４】
即ち、本実施例の仕切り部材４は、その長さ方向をフライパン本体１の長手方向に合致させてフライパン本体１内に収納配設し得るように構成したもので、このようにして仕切り部材４をフライパン本体１内に縦板状に収納配設すると、この仕切り部材４の下縁と前後縁が、フライパン本体１の底板部11上面と周壁部２の前後内面にぴったりと当接して、食材が調理区画範囲外に漏出することを可及的に防止できる構成としている（図３参照）。
【００３５】
また、本実施例では、この仕切り部材４に、前記フライパン本体１の周壁部２に着脱自在に取付可能且つこの周壁部２に沿ってスライド移動可能な取付部５を設けて、この取付部５を周壁部２に取付けることで仕切り部材４がフライパン本体１内を区画するように構成すると共に、この取付部５を周壁部２に沿ってスライド移動することで仕切り部材４によるフライパン本体１内の区画範囲を変更し得るように構成している。
【００３６】
具体的には、前記仕切り部材４の一側端部（後側の周壁部２側に配する端部）に、前記フライパン本体１の周壁部２の上縁３に上方から被嵌取付可能且つこの上縁３に沿ってスライド移動可能な係止溝６を有する前記取付部５を設けている。
【００３７】
更に詳しくは、取付部５は、鉄，銅，アルミ，ステンレス等の熱伝導性の良い金属製であって、小型の帯板状の金属板材をフック状（逆Ｕ字状）に折曲した構成とし、このＵ字板状の取付部５の内側の溝状部を前記係止溝６としている。即ち、この係止溝６を周壁部２の上縁３に被嵌すると、取付部５の一方の遊離板が周壁部２の内面に沿設若しくは近接する内側板部15となり、他方の遊離板が周壁部２の外面に沿設若しくは近接する外側板部16となる構成としている。
【００３８】
また、この取付部５は、係止溝６の溝幅が前記周壁部２の壁厚よりやや幅広くなるＵ字板形状に設定構成して、この係止溝６が周壁部２に対して抵抗なくスムーズに被嵌でき、且つ周壁部２に対してスムーズにスライド移動できるようにしている。
【００３９】
そして、この取付部５を、その係止溝６の溝長さ方向が仕切り部材４の長さ方向と略直交するように配した上で前記内側板部15を仕切り部材４の一側（後側）端部に付設（溶接）した構成としている。
【００４０】
即ち、本実施例では、この取付部５をフライパン本体１の後側の周壁部２に被嵌取付し得るように構成したもので、この取付部５を後側の周壁部２に沿ってスライド移動（握柄10の取付箇所では取付部５を後側周壁部２から取り外して位置を移動変更する）させると、フライパン本体１内で仕切り部材４が左右方向（図１中の矢印参照）に移動し、これによってフライパン本体１内の調理区画範囲を、その前後幅を変えずに左右幅が可変するように無段階調節変更できる構成としている。
【００４１】
また、本実施例は、仕切り部材４の他側端部（前側端部）に、前記取付部５を取付けた後側の周壁部２の対向側（前側）の周壁部２内面に沿設させる沿設部９を設けている。
【００４２】
具体的には、鉄，銅，アルミ，ステンレス等の熱伝導性の良い金属製であって、小型の略方形状の金属薄板材を断面Ｌ字状に折曲形成し、このＬ型金属板の折曲部を境にした一側板部を止着代14とし、他側板部を前記沿設部９とし、この沿設部９が前記仕切り部材４の前側端縁と面一となるように前記止着代14を仕切り部材４の前側端部付近の片面に付設（溶接）している。
【００４３】
従って、仕切り部材４の一側（後側）端部の取付部５が後側の周壁部２に取付けられ、他側（前側）端部の沿設部９が対向側（前側）の周壁部２の内面に沿設することによって、仕切り部材４がフライパン本体１に対して安定的に取付けられると共に、一側端部の取付部５が周壁部２に沿ってスライド移動する際に他側端部の沿設部９が対向側の周壁部２の内面に沿ってスライド移動して、仕切り部材４のスライド移動がスムーズ且つ安定的に行われ区画変更操作が容易に行われるように構成している。
【００４４】
尚、仕切り部材４の他側端部に、沿設部９ではなく前記取付部５を設けても良い。この場合、他側端部の取付部５には、後述する係止手段７はあってもなくても良い。
【００４５】
また、本実施例では、この取付部５に、この取付部５を前記周壁部２に移動不能状態に係止する係止解除可能な係止手段７を設けている。
【００４６】
係止手段７は、前記取付部５に締付ネジ８を設け、この締付ネジ８を締付けることで取付部５を前記フライパン本体１の周壁部２に移動不能状態に係止し、この締付ネジ８を緩めることで取付部５の係止状態を係止解除する構成としている。
【００４７】
具体的には、前記取付部５の外側板部16に、この外側板部16を前後方向に貫通する雌螺子孔13を形成し、この雌螺子孔13になべネジを採用した締付ネジ８を螺着して、この締付ネジ８の締緩操作により、そのネジ先端が雌螺子孔13から係止溝６内に進出螺動したり、逆に係止溝６から雌螺子孔13に退入螺動したりする前記係止手段７を構成している。
【００４８】
即ち、係止手段７は、締付ネジ８を締付けると、ネジ先端が前記係止溝６内に進出螺動し、周壁部２の外面に圧接係止して取付部５が周壁部２に対し移動不能な係止状態となり、逆に係止状態の締付ネジ８を緩めてネジ先端を周壁部２の外面から離反させると、ネジ先端が係止溝６内から退入螺動し、係止解除状態となって取付部５を周壁部２に沿ってスライド移動且つ周壁部２に対し取付部５を着脱可能となる構成としている。
【００４９】
この係止手段７は、本実施例以外の他の構成を採用しても良い。
【００５０】
尚、本発明は、本実施例に限られるものではなく、各構成要件の具体的構成は適宜設計し得るものである。
【００５１】
例えば、本実施例では、仕切り部材４がフライパン本体１内で左右方向にスライド移動するように構成した場合を示したが、前後方向にスライド移動して調理範囲を区画変更できるように構成しても良い。
【００５２】
また、本実施例では、平面視長方形状のフライパン本体１を具備する玉子焼き器に適用した場合を示したが、一般的な平面視円形のフライパン本体１を具備するフライパンに適用しても良い。尚、この場合は、区画位置によって対向する周壁部２間の間隔が異なるので、仕切り部材４が伸縮できるような構成を採用すると良い。
【符号の説明】
【００５３】
１  フライパン本体
２  周壁部
３  上縁
４  仕切り部材
５  取付部
６  係止溝
７  係止手段
８  締付ネジ
９  沿設部
【図１】
0005878205.tif 000002
【図２】
0005878205.tif 000003
【図３】
0005878205.tif 000004